(57)【要約】【課題】現場での作業工数、作業時間を削減し、プレキャストコンクリート蓋と地下構造物本体との結合部分の強度をより高いものとする。【解決手段】上側が開放された地中構造物本体部１１と、その上側の開放部を閉鎖するプレキャストコンクリート製の天盤１２とを備え、本体部１１の上側開放部周縁には段状の天盤受け部２０ａ，２０ｂ，２１ａ，２１ｂを備え、本体部１１と天盤１２との隙間にモルタル２６が充填され、天盤１２の外周の互いに平行な２面に、その下半分側を外側に張り出した顎部を備え、前記２面に対応する本体部１１の天盤受け部外側の上顎部２２の下半分側に、天盤１２の顎部の先端がそれぞれ挿入される凹溝２４ａ，２４ｂを備え、両顎部３３ａ，３３ｂがそれぞれ天盤受け部の凹溝内に先端部分が挿入された状態で、その凹溝内を含む天盤受部と天盤との間の隙間にモルタルが充填されている。【選択図】  図４
2018016998.tif 000002
【特許請求の範囲】
【請求項１】
地中に場所打ち又はプレキャストコンクリートによって構築され、上側が開放された地中構造物本体部と、該地中構造物本体部の上側の開放部を閉鎖するプレキャストコンクリート製の天盤とを備え、
前記地中構造物本体部の上側開放部周縁にはその上面の開口部側を低くした段状の天盤受け部を備え、
該天盤受け部上に前記天盤の周縁部下面を当接させ、該天盤受け部外側の上顎部と前記天盤の外周との間にモルタルを充填した中空地中構造物におけるコンクリート天盤の固定構造において、
前記天盤の外周の互いに平行な２面に、その下半分側を外側に張り出した顎部を備え、
前記天盤の外周の互いに平行な２面に対応する前記地中構造物本体部の天盤受け部外側の上顎部の下半分側に、前記顎部の先端がそれぞれ挿入される凹溝を備え、
前記両顎部がそれぞれ天盤受け部の凹溝内に先端部分が挿入された状態で、該凹溝内を含む天盤受部と天盤との間の隙間にモルタルが充填されていることを特徴とする中空地中構造物におけるコンクリート天盤の固定構造。
【請求項２】
前記地中構造物本体部の上側開放部周縁の上面又はこれに対応する位置の天盤の縁部上面に、前記凹溝内に連通したモルタル注入用孔を備えてなる請求項１に記載の中空地中構造物におけるコンクリート天盤の固定構造。
【請求項３】
前記地中構造物本体部の上側開放部周縁のモルタル注入用孔は、その側面が該上側開放部周縁中心側の側面に開放されている請求項２に記載の中空地中構造物におけるコンクリート天盤の固定構造。
【発明の詳細な説明】
【技術分野】
【０００１】
本発明は、例えば電線共同溝における中継室のような中空の地下コンクリート構造物において、天盤を除く中空地中構造物本体に対し、プレキャストコンクリート製の天盤を固定する中空地中構造物におけるコンクリート天盤の固定構造に関する。
【背景技術】
【０００２】
一般に、電線共同溝は、道路管理者及び電力、通信・放送事業者等のケーブルを収容する管路部分を総称した一般部と、需要家への供給のための分岐・接続等を行う分岐部，ケーブルの接続を行う接続部を総称した特殊部とから構成されている。特殊部としては、通信接続枡、分岐枡、横断枡が等があり、これは内部に作業者が入ることができる地下中空構造物であり、底盤と周壁とからなる立方形の本体部と、その上方開放部を閉鎖する天盤とから構成されており天盤には、作業者や作業機器が出入りできるマンホールが備えられている。
【０００３】
このような電線共同溝の特殊部を構成するための中空地下構造物は、場所打ちコンクリートによって本体部を構築した後、天盤用の型組を行い、場所打ちコンクリート打設して本体部と一体化させた天盤を形成し、天盤にマンホールを形成するようにしたもの一般的であった（例えば特許文献１，２）。
【０００４】
また本発明者は、先に、中空の地下構造物の天盤をプレキャストコンクリート板をもって形成し、これを場所打ちコンクリート製又はプレキャストコンクリート製の本体部に一体化させるものとして、図７に示すように上方が開放された本体部１の開口縁部に、蓋体である天盤２が嵌め合わされ、その周縁部下面を接合させる段状の受け部３を一体に形成し、その受け部３の下側周縁に横向きの凹溝４を形成するとともに、天盤２の外周面にその下側を水平に張り出した顎部５を形成しておき、凹溝４内及び顎部５の上側の目地空隙にモルタル６を注入することによって天盤２と本体部１とを一体化させる構造を開発した（例えば特許文献３，４）。尚、図７において右半分はモルタル６の注入前の状態を示している。
【先行技術文献】
【特許文献】
【０００５】
【特許文献１】特開２０１１−６６９９７号公報
【特許文献２】特開２００９−１３８３５５号公報
【特許文献３】意匠登録１５５１３６１号公報
【特許文献４】意匠登録１５５１３６３号公報
【発明の概要】
【発明が解決しようとする課題】
【０００６】
上述した従来の本体部と天盤とを場所打ちコンクリートによって一体に形成する方法では、特に天盤の構築に、支保工に支持させた型板の設置が必要であり、現場での組み立て、コンクリート固化後の支保工、型板の搬出作業が必要であるため時間と多くの現場作業が必要である。特に解体後の搬出は、人が出入り出来る程度の小さなマンホールを通じて作業するため効率が悪いという問題があった。
【０００７】
また、図７に示すようにプレキャストコンクリートによる天盤を使用する方法では、天盤を現場作業によらずに成形するため、施工現場での作業工数が簡略されるが、地震時等における天盤に対する上向きの外力は、モルタルのせん断力によって支えるものであるため、耐震性に限界があるという問題があった。
【０００８】
本発明は、このような従来の問題に鑑み、１辺が数メートルないしは十数メートルの大きさの地下構造物の天盤構築用の型枠や支保工の設置及びその解体撤去作業を必要とせず、現場での作業工数の削減し、現場作業時間の短縮を図るとともに、プレキャストコンクリート製の天盤と地下構造物本体との結合部分の強度をより高いものとすることを目的としてなされたものである。
【課題を解決するための手段】
【０００９】
本発明に係る中空地中構造物におけるコンクリート天盤の固定構造の第一の特徴は、地中に場所打ち又はプレキャストコンクリートによって構築され、上側が開放された地中構造物本体部と、該地中構造物本体部の上側の開放部を閉鎖するプレキャストコンクリート製の天盤とを備え、前記地中構造物本体部の上側開放部周縁にはその上面の開口部側を低くした段状の天盤受け部を備え、該天盤受け部上に前記天盤の周縁部下面を当接させ、該天盤受け部外側の上顎部と前記天盤の外周との間にモルタルを充填した中空地中構造物におけるコンクリート天盤の固定構造において、前記天盤の外周の互いに平行な２面に、その下半分側を外側に張り出した顎部を備え、前記天盤の外周の互いに平行な２面に対応する前記地中構造物本体部の天盤受け部外側の上顎部の下半分側に、前記顎部の先端がそれぞれ挿入される凹溝を備え、前記両顎部がそれぞれ天盤受け部の凹溝内に先端部分が挿入された状態で、該凹溝内を含む天盤受部と天盤との間の隙間にモルタルが充填されていることにある。
【００１０】
本発明の第２の特徴は、前記第１の特徴の構成に加え、地中構造物本体部の上側開放部周縁の上面又はこれに対応する位置の天盤の縁部上面に、前記凹溝内に連通したモルタル注入用孔を備えていることにある。
【００１１】
本発明の第３の特徴は、前記第２の特徴に加え、地中構造物本体部の上側開放部周縁のモルタル注入用孔は、その側面が該上側開放部周縁中心側の側面に開放されていることにある。
【発明の効果】
【００１２】
本発明に係る中空地中構造物におけるコンクリート天盤の固定構造は、前記第１のように、天盤の外周の互いに平行な２面に、その下半分側を外側に張り出した顎部を備え、前記天盤の外周の互いに平行な２面に対応する前記地中構造物本体部の天盤受け部外側の上顎部の下半分側に、前記顎部の先端がそれぞれ挿入される凹溝を備え、前記両顎部がそれぞれ天盤受け部の凹溝内に先端部分が挿入された状態で、該凹溝内を含む天盤受部と天盤との間の隙間にモルタルが充填されていることにより、モルタルの付着力、モルタルの耐せん断力に加え、本体部の開口部内周面の上顎部及び天盤の顎部の耐せん断力によって天盤を本体部からは外す方向の外力に対抗し、且つ各顎部は、本体部及び天盤と一体のＲＣ構造とすることができるため、より大きい外れ方向の外力に耐えることができる。
【００１３】
本発明は前記第２の特徴のように、地中構造物本体部の上側開放部周縁の上面又はこれに対応する位置の天盤の縁部上面に、前記凹溝内に連通したモルタル注入用孔を備えることにより、本体部の開口縁部に形成した上顎部の下側となる凹溝へのモルタル注入が容易となり、モルタルの充填不良がなくなり、本体部に対する天盤の結合をより強固なものとできる。
【００１４】
本発明は、前記の第３の特徴のように、地中構造物本体部の上側開放部周縁のモルタル注入用孔は、その側面が該上側開放部周縁中心側の側面に開放されていることにより、天盤の上縁部外周と本体部開口の内周面との目地空隙へのモルタル充填が容易となり、且つ、目地空隙全体がモルタル注入孔を介して一体化されるため、固化したモルタル自体のせん断抵抗力が大きくなり、本体部に対する天盤の結合力がより強固なものとなる。
【図面の簡単な説明】
【００１５】
【図１】本発明に係る中空地中構造物におけるコンクリート天盤の固定構造の実施の一例を示す平面図である。
【図２】同上の縦断面図である。
【図３】図１中のＡ−Ａ線部分の部分切断断面図である。
【図４】図１中のＢ−Ｂ線部分の部分切断断面図である。
【図５】図１に示す実施例の本体部の開口部分を示す部分斜視図である。
【図６】（ａ）〜（ｃ）は、天盤設置工程を示す断面図である。
【図７】従来例の縦断面図である。
【発明を実施するための形態】
【００１６】
次に、本発明の実施の態様を図に示した実施例に基づいて説明する。図において符号１０は、電線共同溝の特殊部を構成する中空の地中構造物であり、１１はその本体部、１２は本体部の上方開放部を閉鎖する天盤である。
【００１７】
本体部１１は、場所打ちコンクリートによる鉄筋コンクリート造であり、天盤１２は、プレキャストコンクリート製で、工場その他の制作ヤードで製造され、地中構造物１０の構築現場に搬入されて設置されている。
【００１８】
本体部１１は長方体形状をしており、底盤１５とその上に一体に立ち上げた、前後の端部壁１６ａ，１６ｂ、左右の側部壁１７ａ，１７ｂとからなる周壁とから構成されており、この周壁の上側開放部周縁、即ち前後の端部壁１６ａ，１６ｂ及び左右の側部壁１７ａ，１７ｂの上面に、周壁の上側開放部中央側を低くした段状の天盤受け部２０ａ，２０ｂ，２１ａ，２１ｂが形成されている。
【００１９】
各天盤受け部２０ａ，２０ｂ，２１ａ，２１ｂは本体部１１の開口部内周縁に、天盤１５の厚さ分だけ低くした段状に形成され、その上側には開口縁部に上顎部２２を残して形成された、深さを各側壁部及び端部壁の厚さ方向に向けた凹溝２３ａ，２３ｂ，２４ａ，２４ｂが形成されている。
【００２０】
本体部１１の上面には、天盤受け部２０ａ〜２１ｂの各上顎部２２に側面が開放された平面がＵ字状をしたモルタル充填用孔２５，２５......が複数形成されており、天盤１２を天盤受け部２０ａ〜２１ｂ上に載せた状態で、各凹溝２３ａ，２４ａ内に、このモルタル充填用孔２５，２５......を通じてモルタル２６を充填することができるようになっている。
【００２１】
本体部１１の端部壁１６ａ，１６ｂに対応する天盤１２の前後の端辺部３０ａ，３０ｂ及び左右の側辺部３１ａ，３１ｂには、それぞれ天盤１２の厚さのほぼ半分の厚さよりやや小さい寸法の厚さをした顎部３２ａ，３２ｂ及び３３ａ，３３ｂが、各辺部の全長に亘って水平方向に張り出した形状に形成されている。
【００２２】
天盤１２は、端辺部３０ａ，３０ｂの顎部３３ａ，３３ｂの先端間の長さを、図３に示すように、本体部１１の両端部側の天盤受け部２０ａ，２０ｂの上顎部２２間に落とし込むことができる寸法に形成されており、天盤受け部２０ａ，２０ｂ上に天盤１２が落とし込まれた状態で、顎部３０ａ，３０ａの先端が凹溝２３ａ，２３ａの開口部に入り込まない状態で向き合っており、且凹溝２３ａ，２３ａの上側の上顎部２２，２２と端辺部３０ａ，３０ｂの顎部３２ａ，３２ｂより上側の直立壁部３４ａ，３４ｂとの間に目地空隙３５が形成される寸法となっている。
【００２３】
両側辺部３１ａ，３１ｂは、図４に示すように天盤１２の両側端が本体部１１の天盤受け部２１ａ，２１ｂ上に載せられた状態で、顎部３３ａ，３３ｂの先端部が凹溝２４ａ，２４ｂ内に共に入り込む長さに形成されている。また、図６（ａ）に示すように天盤１２の一方の側辺部３１ｂの顎部３３ｂを一方の側壁部１７ｂの凹溝２４ｂへその奥まで挿入することによって、他方の側辺部３１ａの顎部３３ａが、他方の側壁部１７ａの凹溝２４ａの上側の上顎部２２の内側に入り込む長さに形成されている。
【００２４】
天盤１２を本体部１１の開口部に設置する際には、図６（ａ）に示すように一方の側辺部３１ｂａ顎部３３ｂを一方の側壁部１７ｂの凹溝２４ｂにその奥まで挿入した後、図６（ｂ）に示すように天盤１２の他方の側辺部３１ａの顎部３３ａを天盤受け部２１ａ上に載せ、しかる後、図６（ｃ）に示すように天盤１２をスライドさせて両顎部３３ａ，３３ｂを同じ長さだけ各凹溝２４ａ，２４ｂ内にその先端が挿入れた状態とする。これによって天盤１２の周囲と本体部１１の上方開放部内周縁との間に目地空隙３５が形成される。
【００２５】
このようにして本体部１１に対して天盤１２を設置した後、各モルタル充填用孔２５，２５......から各凹溝２３ａ，２３ｂ及び２４ａ，２４ｂ内にモルタルを充填するとともに、天盤１２の周囲の目地空隙３５及びモルタル充填用孔２５，２５......内を埋める。
【００２６】
尚、図において４０は本体部１１及び天盤１２内に埋め込んだ鉄筋であり、各顎部３２ａ，３２ｂ，３３ａ，３３ｂを含む本体部１１及び天盤１２はそれぞれ鉄筋４０によって補強されたＲＣ構造となっている。
【００２７】
このように目地空隙３５にモルタル２６を充填して一体化させた本体部１１と天盤１２と端部壁１６ａ，１６ｂとの結合は、図３に示すように、モルタル２６が、目地空隙３５に充填されることにより、そのモルタル２６内に本体部１１の上顎部２２と天盤１２の顎部３２ａ，３２ｂがともに埋め込まれこととなり、天盤１２を本体部１１からは外す方向の外力に対しては、固化したモルタルのせん断抵抗力によって対抗するため、モルタルの付着力のみによる耐外れ方向の抵抗力に比べより大きな抵抗力が得られる。
【００２８】
また、天盤１２と側部壁１７ａ，１７ｂとの結合は、図４に示すように、モルタルの付着力、モルタルの耐せん断力に加え、本体部１１の開口部内周面の上顎部２２及び天盤１２の顎部３２ａ，３２ｂ，３３ａ，３３ｂの耐せん断力によって天盤１２を本体部１１からは外す方向の外力に対抗し、且つ各顎部は鉄筋によって補強したＲＣ構造とすることができるため、より大きい外れ方向の外力に対抗できる。
【符号の説明】
【００２９】
１０  地中構造物
１１  本体部
１２  天盤
１５  底盤
１６ａ，１６ｂ  端部壁
１７ａ，１７ｂ  側部壁
２０ａ，２０ｂ，２１ａ，２１ｂ  天盤受け部
２２  上顎部
２３ａ，２３ｂ，２４ａ，２４ｂ  凹溝
２５  モルタル充填用孔
２６  モルタル
３０ａ，３０ｂ  端辺部
３１ａ，３１ｂ  側辺部
３２ａ，３２ｂ，３３ａ，３３ｂ  顎部
３４ａ，３４ｂ  直立壁部
３５  目地空隙
４０  鉄筋
【図１】
2018016998.tif 000003
【図２】
2018016998.tif 000004
【図３】
2018016998.tif 000005
【図４】
2018016998.tif 000006
【図５】
2018016998.tif 000007
【図６】
2018016998.tif 000008
【図７】
2018016998.tif 000009